(57)【要約】【課題】被検体の内臓脂肪率を迅速に測定する。【解決手段】この発明の装置は、Ｘ線ＣＴ撮影で得たＸ線ＣＴ画像に基づき３次元画像作成部１７が作成する被検体Ｍの３次元体表面画像は内臓脂肪率測定位置が定められている被検体Ｍの体表面上の状況を直接示すので、内臓脂肪率測定位置である臍部の位置を脂肪率測定位置指定部１８により３次元体表面画像上で速やかに指定できる。また、３次元体表面画像上で指定された臍部の位置はＸ線ＣＴ撮影で得たＸ線ＣＴ画像の撮影位置と明確な対応関係があるので、指定された臍部の位置のＸ線ＣＴ画像を脂肪率測定用画像取得部１９が自動的に取得できる。そして、取得された臍部の位置のＸ線ＣＴ画像に基づき内臓脂肪率求出部１６が内臓脂肪率を速やかに求出するので、内臓脂肪率を迅速に測定できる。【選択図】    図１
2004254932.tif 000002
【特許請求の範囲】
【請求項１】
予め立案設定された撮影計画に従って実行されるＸ線ＣＴ撮影により被検体の体軸方向または体側方向に沿って次々連続的に設定されている断面（スライス断面）の各々についてＸ線ＣＴ画像が得られるように構成されていると共に、Ｘ線ＣＴ画像に基づいて被検体の内臓脂肪率が求出されるように構成されているＸ線ＣＴ装置において、Ｘ線ＣＴ撮影により得られたＸ線ＣＴ画像に基づいて被検体の体表面の３次元画像を作成する３次元画像作成手段と、被検体の内臓脂肪率を測定する位置として被検体の体表面上で予め定められている内臓脂肪率測定位置に該当する位置を前記体表面の３次元画像上で指定する脂肪率測定位置指定手段と、Ｘ線ＣＴ撮影により得られたＸ線ＣＴ画像に基づいて脂肪率測定位置指定手段で指定された内臓脂肪率測定位置のＸ線ＣＴ画像を取得する脂肪率測定用画像取得手段とを備え、脂肪率測定用画像取得手段により取得されたＸ線ＣＴ画像を被検体の内臓脂肪率の求出に用いるように構成されていることを特徴とするＸ線ＣＴ装置。
【請求項２】
請求項１に記載のＸ線ＣＴ装置において、撮影計画立案用の２次元Ｘ線透過画像の撮影をおこなう撮影計画用画像撮影手段を備えているＸ線ＣＴ装置。
【請求項３】
請求項１または２に記載のＸ線ＣＴ装置において、内臓脂肪率測定位置が被検体の臍部の位置に定められているＸ線ＣＴ装置。
【発明の詳細な説明】
【０００１】
【発明の属する技術分野】
この発明は、予め立案設定された撮影計画に従って実行されるＸ線ＣＴ撮影により被検体の体軸方向または体側方向に沿って次々連続的に設定されている断面（スライス断面）の各々についてＸ線ＣＴ画像が得られるように構成されていると共に、Ｘ線ＣＴ画像に基づいて被検体の内臓脂肪率が求出されるように構成されているＸ線ＣＴ装置（Ｘ線コンピュータ断層撮影装置）に係り、特に被検体の内臓脂肪率を迅速に測定するための技術に関する。
【０００２】
【従来の技術】
Ｘ線ＣＴ装置として、予め立案設定された撮影計画に従って実行されるＸ線ＣＴ撮影により、被検体の体軸方向に沿って次々連続的に設定されている輪切り断面の各々についてＸ線ＣＴ画像が得られるように構成されているのに加えて、Ｘ線ＣＴ画像に基づいて被検体Ｍの内臓脂肪率が求出できるように構成されている装置がある。
【０００３】
内臓脂肪率は成人病の要因となる肥満度を示す重要な指標であり、内臓脂肪率が高いと要注意であるとされる。Ｘ線ＣＴ装置の場合、Ｘ線ＣＴ画像における内臓区域の脂肪量ｑａと内臓区域の外側の皮下区域の脂肪量ｑｂをそれぞれＸ線ＣＴ画像の画像信号を利用して求めてから〔（ｑａ／ｑｂ）×１００〕という演算をおこなうことによりを内臓脂肪率を求出している。内臓区域の脂肪量ｑａおよび皮下区域の脂肪量ｑｂは、各区域における画素のピクセル値（信号強度）が脂肪とみなされる範囲にある画素の数をカウントすることでそれぞれ求められる。
【０００４】
【発明が解決しようとする課題】
しかしながら、上記従来のＸ線ＣＴ装置は、往々にして被検体の内臓脂肪率を測定するのに非常に手間がかかり、被検体の内臓脂肪率を迅速に測定することができないという問題がある。
被検体の内臓脂肪率は、過去の測定データや他者の測定データとの比較等の為に、普通、被検体の内臓脂肪率を測定する位置（内臓脂肪率測定位置）として被検体Ｍの体表面上で予め定められている一定の位置（例えば臍部の位置）のＸ線ＣＴ画像に基づいて測定される。それゆえ、内臓脂肪率を求出する場合は内臓脂肪率測定位置のＸ線ＣＴ画像が必要となる。
【０００５】
一方、撮影計画に従って撮影された各Ｘ線ＣＴ画像の場合、それぞれ被検体Ｍ上での撮影位置と対応付けられて記憶されている。しかし、被検体の体表面上での内臓脂肪率測定位置の方については何ら記憶されていない。Ｘ線ＣＴ撮影に先立って撮影された被検体の２次元Ｘ線透過画像に基づいてＸ線ＣＴ撮影の撮影計画が立案設定される場合でも、２次元Ｘ線透過画像上には内臓脂肪率測定位置を知ることのできる手がかりは何も映っていない。したがって、Ｘ線ＣＴ撮影終了後、オペレータ（撮影技師）が記憶されている幾枚ものＸ線ＣＴ画像をひとつひとつチェックしたりして内臓脂肪率測定位置のＸ線ＣＴ画像を見つけ出すという手間の要る検索作業を行わなければならない。もし適当なＸ線ＣＴ画像が検索作業で見つからない場合は、さらに内臓脂肪率測定位置を推定すると共に、推定した内臓脂肪率測定位置のＸ線ＣＴ画像を撮影した何枚かのＸ線ＣＴ画像に基づいて作成する処理をおこなわなければならず、より手間がかかる。
【０００６】
この発明は、このような事情に鑑みなされたものであって、被検体の内臓脂肪率を、手間をかけずに迅速に測定することができるＸ線ＣＴ装置を提供することを目的としている。
【０００７】
【課題を解決するための手段】
この発明は、このような目的を達成するために、次のような構成をとる。
すなわち、請求項１の発明に係るＸ線ＣＴ装置は、予め立案設定された撮影計画に従って実行されるＸ線ＣＴ撮影により被検体の体軸方向または体側方向に沿って次々連続的に設定されている断面（スライス断面）の各々についてＸ線ＣＴ画像が得られるように構成されていると共に、Ｘ線ＣＴ画像に基づいて被検体の内臓脂肪率が求出されるように構成されているＸ線ＣＴ装置において、Ｘ線ＣＴ撮影により得られたＸ線ＣＴ画像に基づいて被検体の体表面の３次元画像を作成する３次元画像作成手段と、被検体の内臓脂肪率を測定する位置として被検体の体表面上で予め定められている内臓脂肪率測定位置に該当する位置を前記体表面の３次元画像上で指定する脂肪率測定位置指定手段と、Ｘ線ＣＴ撮影により得られたＸ線ＣＴ画像に基づいて脂肪率測定位置指定手段で指定された内臓脂肪率測定位置のＸ線ＣＴ画像を取得する脂肪率測定用画像取得手段とを備え、脂肪率測定用画像取得手段により取得されたＸ線ＣＴ画像を被検体の内臓脂肪率の求出に用いるように構成されていることを特徴とするものである。
【０００８】
〔作用・効果〕請求項１の発明の装置によれば、予め立案設定された撮影計画に従って実行されるＸ線ＣＴ撮影により被検体の体軸方向または体側方向に沿って次々連続的に設定されている断面（スライス断面）の各々についてＸ線ＣＴ画像が得られる。加えて、請求項１の発明の装置で被検体の内臓脂肪率の求出をおこなう場合、先ず３次元画像作成手段がＸ線ＣＴ撮影により得られたＸ線ＣＴ画像に基づき被検体の体表面の３次元画像（以下、適宜「３次元体表面画像」と略記）を作成する。次に脂肪率測定位置指定手段により、被検体の内臓脂肪率を測定する位置として被検体の体表面上で予め定められている内臓脂肪率測定位置に該当する位置が３次元体表面画像上で指定されると、次に脂肪率測定用画像取得手段がＸ線ＣＴ撮影により得られたＸ線ＣＴ画像に基づき脂肪率測定位置指定手段により指定された内臓脂肪率測定位置のＸ線ＣＴ画像が取得される。そして、脂肪率測定用画像取得手段で内臓脂肪率測定位置のＸ線ＣＴ画像が取得されると、内臓脂肪率測定位置のＸ線ＣＴ画像に基づいて直ちに被検体の内臓脂肪率が求出される。
【０００９】
このように、請求項１の発明によれば、撮影計画に従って実行されたＸ線ＣＴ撮影で得られたＸ線ＣＴ画像に基づいて３次元画像作成手段が作成する被検体の３次元体表面画像は、内臓脂肪率測定位置が予め定められている被検体の体表面上の状況を直接示す画像であるので、脂肪率測定位置指定手段によって３次元体表面画像上で内臓脂肪率測定位置を何ら手間どることなく速やかに指定できるうえ、３次元体表面画像上で指定された内臓脂肪率測定位置はＸ線ＣＴ撮影で得られたＸ線ＣＴ画像の被検体上での撮影位置と明確な対応関係があるので、指定された内臓脂肪率測定位置のＸ線ＣＴ画像が脂肪率測定用画像取得手段により自動的に取得できる結果、被検体の内臓脂肪率を迅速に測定することができる。
【００１０】
また、請求項２の発明は、請求項１に記載のＸ線ＣＴ装置において、撮影計画立案用の２次元Ｘ線透過画像の撮影をおこなう撮影計画用画像撮影手段を備えているものである。
〔作用・効果〕請求項２の発明によれば、撮影計画用画像撮影手段により得られた撮影計画用の２次元Ｘ線透過画像によって被検体の体内の状況を把握することができるので、撮影目的に合った撮影計画を立て易い。
【００１１】
また、請求項３の発明は、請求項１または２に記載のＸ線ＣＴ装置において、内臓脂肪率測定位置が被検体の臍部の位置に定められているものである。
〔作用・効果〕請求項３の発明によれば、内臓脂肪率測定位置として定められている被検体の臍部の位置は腹部のうちでも内臓脂肪率の測定に適する部位であるので、内臓脂肪率を正確に測定できるのに加え、体表面から落ち込んだり、逆に突出したりしている臍部は３次元体表面画像上での認識が容易であるので、３次元体表面画像上での内臓脂肪率測定位置の指定をより速やかにおこなうことができる。
【００１２】
さらに上記請求項１から３のいずれかの発明における有用な実施態様として、Ｘ線ＣＴ撮影の実行中に螺旋式ＣＴスキャンによってＣＴ画像用Ｘ線検出信号を収集するように構成されているものが挙げられる。
〔作用・効果〕この実施態様によれば、螺旋式ＣＴスキャンは３次元体表面画像の作成データであるＸ線ＣＴ画像を細かな間隔で得るのに好適な信号収集方式であるので、Ｘ線ＣＴ画像をキメ細かく得ることで３次元体表面画像の作成データ量を十二分に確保し、被検体の体表面をより明瞭に示す高画質の３次元体表面画像を作成することが可能となる。
【００１３】
【発明の実施の形態】
続いて、この発明の一実施例を図面を参照しながら説明する。図１は実施例に係る医用のＸ線ＣＴ装置の全体構成を示すブロック図、図２は実施例のＸ線ＣＴ装置の撮像機構の構成を示す模式図である。
実施例のＸ線ＣＴ装置は、図１および図２に示すように、Ｘ線ファンビームＦＢを被検体Ｍに照射するＸ線管１と、Ｘ線ファンビームＦＢの広がりに沿って多数（例えば、１０２４個）のＸ線検出素子２ａがライン状に並んでいると共に被検体Ｍを透過したＸ線（透過Ｘ線）を検出するＸ線検出器２とが対向配置状態を維持したまま被検体Ｍのまわりを回転可能に配設されているガントリ３を備えると共に、被検体Ｍを載置したままでＸ線管１とＸ線検出器２との間を被検体Ｍの体軸Ｚの方向に往復移動させられてガントリ３を出入りする天板４とを備え、撮影計画立案用の２次元Ｘ線透過画像を得る計画用画像撮影と、診断用のＸ線ＣＴ画像を得るＸ線ＣＴ撮影がおこなえるように構成されている。
【００１４】
即ち、実施例のＸ線ＣＴ装置の場合、通常、先ず撮影計画立案用の２次元Ｘ線透過画像を撮影してから、図３に示すように、撮影した２次元Ｘ線透過画像ＰＡに基づいてＸ線ＣＴ画像を得る被検体Ｍ上の撮影位置Ｐ１，Ｐ２，・・，ＰＮの設定を含む撮影計画を立てる。被検体Ｍの体内の状況を示す２次元Ｘ線透過画像を用いれば、撮影目的に合った撮影計画が立て易い。そして、実施例装置において、２次元Ｘ線透過画像を用いて立案設定された撮影計画に従ってＸ線ＣＴ撮影が実行されると、図４に示すように、被検体Ｍの体軸Ｚ方向に沿って次々連続的に設定されている輪切り断面（スライス断面）Ｍ１，Ｍ２，・・，ＭＮの各々についてＸ線ＣＴ画像が得られる。
以下、実施例装置の各部の構成を具体的に説明する。
【００１５】
計画用画像撮影の場合、被検体Ｍを挟んでＸ線管１とＸ線検出器２を回転させずに静止状態のまま、天板４だけを被検体Ｍの体軸Ｚの方向に移動させてＸ線管１とＸ線検出器２の間へ被検体Ｍを送り込みながら、Ｘ線管１からＸ線ファンビームＦＢを連続照射すると同時に、Ｘ線検出器２から出力される透過画像用Ｘ線検出信号をデータ収集部（ＤＡＳ）５が収集する。
なお、計画用画像撮影では、Ｘ線透過撮影制御部６の制御に従って、メカニカル制御部８が天板４の移動をコントロールし、Ｘ線曝射制御部９がＸ線管１によるＸ線ファンビームＦＢの照射をコントロールする。
【００１６】
Ｘ線ＣＴ撮影の場合、Ｘ線管１とＸ線検出器２を対向配置状態のまま被検体Ｍのまわりを回転させた状態で、天板４を被検体Ｍの体軸Ｚの方向に移動させてＸ線管１とＸ線検出器２の間へ被検体Ｍを送り込みながら、Ｘ線管１からＸ線ファンビームＦＢを連続的に照射すると同時に、Ｘ線検出器２から出力されるＣＴ画像用Ｘ線検出信号をデータ収集部５が収集する。つまり、実施例装置によるＸ線ＣＴ撮影では、Ｘ線管１とＸ線検出器２が被検体Ｍのまわりを螺旋経路に沿って相対的に移動しながらＣＴ画像用Ｘ線検出信号を収集する螺旋式ＣＴスキャンがおこなわれる。この螺旋式ＣＴスキャンはＸ線ＣＴ画像を細かな間隔で得るのに好適な信号収集方式である。
なお、Ｘ線ＣＴ撮影では、Ｘ線ＣＴ撮影制御部７の制御に従って、メカニカル制御部８がＸ線管１およびＸ線検出器２の回転や天板４の移動をコントロールし、Ｘ線曝射制御部９がＸ線管１によるＸ線ファンビームＦＢの照射をコントロールする。
【００１７】
また、天板４の移動に伴って刻々変化する天板４の位置は、特定の基準位置を原点として計測されて制御系側にフィードバックされるように構成されていて、撮影計画で撮影対象として設定される輪切り断面（スライス断面）Ｍ１，Ｍ２，・・，ＭＮが存在する被検体Ｍ上の撮影位置Ｐ１，Ｐ２，・・，ＰＮは天板４の位置と対応付けられて設定される構成となっており、撮影位置の制御は天板４の位置のコントロールによっておこなわれる構成となっている。
【００１８】
一方、データ収集部５の後段には、計画用画像撮影でデータ収集部５が収集するＸ線検出信号に対して２次元Ｘ線透過画像化のための信号処理をおこなう画像信号処理部１０と、Ｘ線ＣＴ撮影でデータ収集部５が収集するＸ線検出信号に対してＸ線ＣＴ画像化のための再構成処理をおこなう画像再構成部１１とを備えている。なお、画像再構成部１１による再構成処理としては、例えば適当な再構成関数を用いてＸ線検出信号の畳み込み積分を行うと共に、畳み込み積分結果を逆投影する処理が挙げられる。
【００１９】
さらに画像信号処理部１０や画像再構成部１１の後段には、撮影された２次元Ｘ線透過画像やＸ線ＣＴ画像を記憶する画像メモリ部１２と、画像メモリ部１２に記憶されている画像や入力操作用画面などを表示する画像モニタ１３と、撮影に必要な指令やデータなどの入力操作をおこなう為の操作卓１４およびマウス（ポインティングデバイス）１４ａが設けられているのに加え、Ｘ線透過撮影制御部６やＸ線ＣＴ撮影制御部７、メカニカル制御部８、Ｘ線曝射制御部９、画像信号処理部１０、画像再構成部１１、画像メモリ部１２、画像モニタ１３などが適切に作動するように操作卓１４やマウス１４ａによる入力操作や撮影の進行状況に応じて指令を送出するホストコンピュータ１５が設けられている。
【００２０】
また、実施例のＸ線ＣＴ装置は、被検体Ｍの内臓脂肪率を求出する内臓脂肪率求出部１６を備えている。実施例装置の場合、内臓脂肪率測定位置が被検体Ｍの臍部の位置に定められているので、内臓脂肪率求出部１６は被検体Ｍの臍部の位置のＸ線ＣＴ画像に基づいて被検体Ｍの内臓脂肪率を求出するように構成されている。したがって、被検体Ｍの内臓脂肪率を求出する場合は、被検体Ｍの臍部が撮影範囲に入るようにＸ線ＣＴ撮影の撮影計画が立てられる。以下では、被検体Ｍの臍部も撮影範囲に含まれるように撮影計画が立てられているものとして説明する。
【００２１】
そして、実施例のＸ線ＣＴ装置の場合、内臓脂肪率求出の迅速化を図る為に、Ｘ線ＣＴ撮影により得られたＸ線ＣＴ画像に基づいて被検体の３次元体表面画像を作成する３次元画像作成部１７と、被検体Ｍの内臓脂肪率を測定する位置として予め定められている内臓脂肪率測定位置に該当する臍部の位置を３次元体表面画像上で指定する脂肪率測定位置指定部１８と、Ｘ線ＣＴ撮影により得られたＸ線ＣＴ画像に基づいて脂肪率測定位置指定部１８で指定された臍部の位置のＸ線ＣＴ画像を取得する脂肪率測定用画像取得部１９とを備えている。
【００２２】
３次元画像作成部１７は、画像メモリ部１２に記憶されている各Ｘ線ＣＴ画像から被検体Ｍの体表面の画素を抽出して、図５に示すように、３次元体表面画像ＰＢとして描出して画像モニタ１３の画面に表示するように構成されている。３次元画像作成部１７の場合、被検体Ｍの体表面の画素の抽出は、画素のピクセル値（信号強度）が体表面とみなされる範囲にあるか否かを判定することによりおこなう構成となっている。被検体Ｍの臍部Ｍａは撮影領域に含まれているので、３次元体表面画像ＰＢに臍部Ｍａが出現しており、元々、臍部Ｍａは目立つものであるので、オペレータは臍部Ｍａの位置を３次元体表面画像ＰＢ上ではっきり視認することができる。
なお、実施例装置のＸ線ＣＴ撮影では、螺旋式ＣＴスキャンでＣＴ画像用Ｘ線検出信号が収集されるので、Ｘ線ＣＴ画像をキメ細かく得ることで３次元体表面画像の作成データ量を十二分に確保し、被検体Ｍの体表面をより明瞭に示す高画質の３次元体表面画像を作成することができる。
【００２３】
脂肪率測定位置指定部１８は、オペレータが操作卓１４ないしマウス１４ａで画像モニタ１３の画面に表示された３次元体表面画像ＰＢ上で、臍部Ｍａの位置（即ち内臓脂肪率測定位置）を指定（画面入力）すると、臍部Ｍａの位置を検知するように構成されている。
【００２４】
脂肪率測定用画像取得部１９は、脂肪率測定位置指定部１８で検知された臍部Ｍａの位置のＸ線ＣＴ画像を取得するように構成されている。脂肪率測定用画像取得部１９は、画像メモリ部１２に記憶されているＸ線ＣＴ画像の中に臍部Ｍａの位置で撮影されたＸ線ＣＴ画像を検索してピックアップし、もしピックアップできなければ臍部Ｍａの位置の近傍で撮影された複数のＸ線ＣＴ画像（例えば臍部Ｍａの位置の両側に位置する２枚のＸ線ＣＴ画像）をピックアップして補間処理するなどして臍部Ｍａの位置のＸ線ＣＴ画像を作成する。画像メモリ部１２に記憶されているＸ線ＣＴ画像に基づいて作成された３次元体表面画像ＰＢ上で指定された臍部Ｍａの位置は、画像メモリ部１２に記憶されているＸ線ＣＴ画像の被検体Ｍ上の撮影位置と明確な対応関係があるので、臍部Ｍａの位置で撮影されたＸ線ＣＴ画像をピックアップしたり、臍部Ｍａの位置の近傍で撮影された複数のＸ線ＣＴ画像をピックアップすることは、何ら支障なくおこなうことができる。
【００２５】
そして、内臓脂肪率求出部１６は、図６に示す臍部Ｍａの位置のＸ線ＣＴ画像ＰＣに基づいて被検体Ｍの内臓脂肪率を求出する。即ち、内臓脂肪率求出部１６の場合、Ｘ線ＣＴ画像ＰＣにおける内臓区域ＱＡと内臓区域ＱＡの外側の皮下区域ＱＢとの区分けがオペレータがマウス１４ａによる手動操作で行うか、内臓脂肪率求出部１６自体による自動処理で行われるのに続いて、内臓区域ＱＡの脂肪量ｑａと皮下区域ＱＢの脂肪量ｑｂがそれぞれＸ線ＣＴ画像ＰＣの画像信号を使って求められた後、〔（ｑａ／ｑｂ）×１００〕という演算により内臓脂肪率が求出される構成となっている。内臓区域ＱＡの脂肪量ｑａおよび皮下区域ＱＢの脂肪量ｑｂは、各区域ＱＡ，ＱＢにおける画素のピクセル値（信号強度）が脂肪とみなされる範囲にある画素の数をカウントすることで求められる。
【００２６】
次に、実施例のＸ線ＣＴ装置による撮影計画立案から内臓脂肪率測定までの一連のプロセスが実行される時の装置動作を、図面を参照しながら説明する。図７は、実施例装置における撮影計画立案から内臓脂肪率測定までの一連のプロセスを示すフローチャートである。
〔ステップＳ１〕計画用画像撮影を実行し、天板４上の被検体Ｍの撮影計画立案用の２次元Ｘ線透過画像を撮影して、画像モニタ１３の画面に表示する。
【００２７】
〔ステップＳ２〕オペレータは画像モニタ１３に表示された２次元Ｘ線透過画像を見ながら操作卓１４を操作して、図３に示すように、撮影した２次元Ｘ線透過画像ＰＡに基づいてＸ線ＣＴ画像を得る被検体Ｍ上の撮影位置Ｐ１，Ｐ２，・・，ＰＮの設定を含む撮影計画を立てる。勿論、内臓脂肪率の測定もおこなえるように被検体Ｍの臍部Ｍａの位置も撮影範囲に含まれるように撮影計画が立てられる。
【００２８】
〔ステップＳ３〕撮影計画に従ってＸ線ＣＴ撮影を実行し、図４に示すように、被検体Ｍの体軸Ｚ方向に沿って次々連続的に設定されている輪切り断面Ｍ１，Ｍ２，・・，ＭＮの各々についてのＸ線ＣＴ画像を得て画像メモリ部１２に記憶する。
【００２９】
〔ステップＳ４〕３次元画像作成部１７により、図５に示すように、画像メモリ部１２に記憶されているＸ線ＣＴ画像に基づいて被検体の３次元体表面画像ＰＢが作成され、画像モニタ１３の画面に表示される。
【００３０】
〔ステップＳ５〕オペレータが画像モニタ１３の３次元体表面画像ＰＢを見ながら操作卓１４ないしマウス１４ａによって３次元体表面画像ＰＢ上で被検体Ｍの臍部Ｍａの位置を指定する。
【００３１】
〔ステップＳ６〕脂肪率測定用画像取得部１９によって画像メモリ部１２に記憶されているＸ線ＣＴ画像の中から臍部の位置で撮影されたＸ線ＣＴ画像がピックアップされる。臍部Ｍａの位置で撮影されたＸ線ＣＴ画像がなければ、臍部Ｍａの近傍の位置で撮影されたＸ線ＣＴ画像に基づいて臍部の位置のＸ線ＣＴ画像が作成される。
【００３２】
〔ステップＳ７〕内臓脂肪率求出部１６により、図６に示す臍部の位置のＸ線ＣＴ画像ＰＣに基づいて被検体Ｍの内臓脂肪率が求出される。
【００３３】
以上に述べたように、実施例のＸ線ＣＴ装置の場合、撮影計画に従って実行されたＸ線ＣＴ撮影で得られたＸ線ＣＴ画像に基づいて３次元画像作成部１７が作成する被検体Ｍの３次元体表面画像ＰＢは、内臓脂肪率測定位置が予め定められている被検体Ｍの体表面上の状況を直接示す画像であるので、内臓脂肪率測定位置である臍部Ｍａの位置を脂肪率測定位置指定部１８により３次元体表面画像上で何ら手間どることなく速やかに指定できる。さらに、３次元体表面画像ＰＢ上で指定された臍部Ｍａの位置はＸ線ＣＴ撮影で得られたＸ線ＣＴ画像の撮影位置と明確な対応関係があるので、指定された臍部Ｍａの位置のＸ線ＣＴ画像ＰＣが脂肪率測定用画像取得部１９により自動的に取得できる。したがって、実施例装置によれば、被検体Ｍの内臓脂肪率を手間をかけるというほどのこともなく迅速に測定することができる。
【００３４】
この発明は、上記実施の形態に限られることはなく、下記のように変形実施することができる。
（１）実施例では、撮影計画を計画用画像撮影により撮影された２次元Ｘ線透過画像を用いて立てるようにしたが、２次元Ｘ線透過画像を撮影せずに適当に撮影位置を直接入力して設定する等して撮影計画を立てるようにしてもよい。
【００３５】
（２）実施例では、内臓脂肪率測定位置をずばり被検体Ｍの臍部Ｍａの位置としたが、内臓脂肪率測定位置は臍部Ｍａから下へ何センチの処というように臍部Ｍａから外れた位置、或いは、臍部Ｍａとは関係のない位置であってもよい。
【００３６】
（３）実施例の装置では、臍部Ｍａの位置を３次元体表面画像ＰＢ上でオペレータが指定する構成であったが、３次元体表面画像ＰＢにおける臍部Ｍａの位置を画像処理で自動的に検知する構成であってもよい。
【００３７】
（４）実施例の装置では、被検体Ｍの体軸Ｚ方向に沿って次々連続的に設定されている輪切り断面Ｍ１，Ｍ２，・・，ＭＮの各々についてのＸ線ＣＴ画像が得られる構成であったが、この発明は、被検体Ｍの体側方向（体軸Ｚ方向と直角の方向）に沿って次々連続的に設定されている断面の各々についてのＸ線ＣＴ画像が得られる場合にも適用することができる。
【００３８】
【発明の効果】
以上に詳述したように、この発明のＸ線ＣＴ装置によれば、撮影計画に従って実行されたＸ線ＣＴ撮影で得られたＸ線ＣＴ画像に基づいて３次元画像作成手段が作成する被検体の３次元体表面画像は、内臓脂肪率測定位置が予め定められている被検体の体表面上の状況を直接示す画像であるので、脂肪率測定位置指定手段によって３次元体表面画像上で内臓脂肪率測定位置を何ら手間どることなく速やかに指定できる。また、３次元体表面画像上で指定された内臓脂肪率測定位置はＸ線ＣＴ撮影で得られたＸ線ＣＴ画像の被検体上での撮影位置と明確な対応関係があるので、指定された内臓脂肪率測定位置のＸ線ＣＴ画像が脂肪率測定用画像取得手段により自動的に取得できる結果、被検体の内臓脂肪率を迅速に測定することができる。
【図面の簡単な説明】
【図１】実施例のＸ線ＣＴ装置の全体構成を示すブロック図である。
【図２】実施例のＸ線ＣＴ装置の撮像機構の構成を示す模式図である。
【図３】実施例における２次元Ｘ線透過画像を用いた撮影計画の立案設定状況を示す説明図である。
【図４】実施例装置によりＸ線ＣＴ画像を得る被検体上の輪切り断面を示す模式図である。
【図５】実施例装置の３次元画像作成部により作成される３次元体表面画像の一例を示す模式図である。
【図６】実施例装置の脂肪率測定用画像取得部により取得される臍部の位置のＸ線ＣＴ画像の一例を示す模式図である。
【図７】実施例装置における撮影計画立案から内臓脂肪率測定までの一連のプロセスを示すフローチャートである。
【符号の説明】
１          …  Ｘ線管
２          …  Ｘ線検出器
６          …  Ｘ線透過撮影制御部
７          …  Ｘ線ＣＴ撮影制御部
１６        …  内臓脂肪率求出部
１７        …  ３次元画像作成部
１８        …  脂肪率測定位置指定部
１９        …  脂肪率測定用画像取得部
Ｍ          …  被検体
Ｍａ        …  臍部
Ｍ１〜ＭＮ  …  輪切り断面（スライス断面）
ＰＡ        …  ２次元Ｘ線透過画像
ＰＢ        …  ３次元体表面画像
ＰＣ        …  臍部の位置のＸ線ＣＴ画像
Ｚ          …  （被検体の）体軸
【図１】
2004254932.tif 000003
【図２】
2004254932.tif 000004
【図３】
2004254932.tif 000005
【図４】
2004254932.tif 000006
【図５】
2004254932.tif 000007
【図６】
2004254932.tif 000008
【図７】
2004254932.tif 000009